【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
ａ）先端部と、前記先端部から基端側に離間しているストッパとを有するマンドレルであって、前記マンドレルの基端寄り部分は前記ストッパから基端側に延びており、かつ前記マンドレルの先端寄り部分は前記ストッパから先端側に延びている、マンドレルと、
ｂ）基端側スライダと先端側スライダとを有する半径方向に膨張可能な胴体部を備えた作動部材であって、前記基端側スライダは前記マンドレルの基端寄り部分に沿って摺動自在に担持され、かつ前記先端側スライダは前記マンドレルの先端寄り部分に沿って摺動自在に担持され、前記基端側スライダと前記先端側スライダの距離が変わって前記作動部材の外形を異ならせるように前記基端側スライダと前記先端側スライダとが互いに独立して前記マンドレルに沿って摺動自在である前記作動部材とを備えた収縮可能な医療器具。
【請求項２】
前記作動部材は膨張可能な外形を有し、かつ管腔を通過するために収縮することが可能であり、前記作動部材はいかなる偏倚力も無くなった時に膨張された外形へ弾性的に戻る請求項１に記載の医療器具。
【請求項３】
前記基端側スライダと前記先端側スライダの距離が増大した時に前記作動部材の胴体部が半径方向に縮んだ外形をとるように構成された請求項１又は２に記載の医療器具。
【請求項４】
使用時において、前記ストッパは前記基端側スライダに当接してこれに対して基端寄り偏倚力を作用し、前記基端寄り偏倚力が前記胴体部の復元力に抗して作用して前記胴体部を軸線方向に伸長しかつ径方向に収縮するように構成された請求項３に記載の医療器具。
【請求項５】
使用時において、前記ストッパは前記先端側スライダに当接してこれに対して先端寄り偏倚力を作用させ、前記先端寄り偏倚力が前記胴体部の復元力に抗して作用して前記胴体部を軸線方向に伸長しかつ径方向に収縮するように構成された請求項３又は４に記載の医療器具。
【請求項６】
制御鞘をさらに有し、前記基端側スライダ及び前記先端側スライダ互いに離間すると共に、前記胴体部が前記鞘の中で収縮することができる請求項１〜５のいずれか１項に記載の医療器具。
【請求項７】
前記制御鞘の壁が前記胴体部の半径方向復元力に抗して偏倚力を作用するように構成され、前記偏倚力により前記基端側スライダと前記先端側スライダの間の空間が維持される請求項６に記載の医療器具。
【請求項８】
前記作動部材が、好ましい半径方向膨張外形を有し、かつ軸線方向に伸張した時に半径方向に縮んだ外形をとる弾性管状編みリボンから形成されている請求項１〜７のいずれか１項に記載の収縮可能な医療器具。
【請求項９】
前記ストッパが、前記基端側スライダ又は前記先端側スライダのいずれかの内径よりも大きい外径を有する請求項８に記載の医療器具。
【請求項１０】
前記ストッパが、前記マンドレルを先端方向に付勢する時に前記先端側スライダを付勢するような大きさに寸法決められている請求項８に記載の医療器具。
【請求項１１】
前記基端側スライダは、内径を有する開口を形成している基端側環状リングを備え、前記先端側スライダは、内径を有する開口を形成している先端側環状リングを備え、前記基端側環状リングの開口の前記内径と前記先端側環状リングの開口の前記内径はほぼ等しい請求項１〜１０のいずれか１項に記載の医療器具。
【請求項１２】
前記マンドレルの基端寄り部分は基端側直径を有し、前記マンドレルの先端寄り部分は先端側直径を有し、前記基端側直径と前記先端側直径はほぼ等しい請求項１〜１１のいずれか１項に記載の医療器具。
【請求項１３】
前記弾性管状編みリボンがフィルタ部材を形成している請求項８〜１２のいずれか１項に記載の収縮可能な医療器具を備え、前記フィルタは、前記基端側スライダと前記先端側スライダは前記マンドレルに沿って第１の距離だけ互いに離間しかつ前記フィルタが第１の直径を有する縮んだ外形と、前記基端側スライダと前記先端側スライダは前記マンドレルに沿って第２のより短い距離だけ離間して前記フィルタが第２の直径を有する膨張外形とを有し、前記第１の直径が前記第２の直径より小さい、患者の身体の経路内に一時的に配置される濾過装置。
【請求項１４】
前記基端側スライダと前記先端側スライダの各々が、前記マンドレルの外径よりは大きいが前記ストッパの外径よりは小さい内径を有する環状カラーを有し、前記ストッパが前記スライダの動きを制限する請求項１３に記載の濾過装置。
【請求項１５】
前記基端側スライダと前記先端側スライダは、前記マンドレルに沿って互いに独立して摺動可能である請求項１３又は１４に記載の濾過装置。
【請求項１６】
使用時において、前記ストッパが前記基端側スライダに当接してこれに対して基端寄り偏倚力を作用し、前記基端寄り偏倚力は、前記フィルタの復元力に抗して作用して前記フィルタを軸線方向に伸長しかつ径方向に収縮するように構成されている請求項１３〜１５のいずれか１項に記載の濾過装置。
【請求項１７】
使用時において、前記ストッパが前記先端側スライダに当接してこれに対して先端寄り偏倚力を作用し、前記先端寄り偏倚力は、前記フィルタの復元力に抗して作用して前記フィルタを軸線方向に伸長しかつ径方向に収縮するように構成されている請求項１３〜１６のいずれか１項に記載の濾過装置。
【請求項１８】
ａ）先端部と前記先端部から基端側に離間したストッパとを有するマンドレルと、弾性管状編みリボンから形成されかつ基端側スライダと先端側スライダとを有する作動部材とを備え、かつ前記基端側スライダは前記ストッパより基端側のマンドレルに沿って摺動自在に担持されかつ前記先端側スライダは前記ストッパと前記マンドレルの先端部の間の前記マンドレルに沿って摺動自在に担持された、収縮可能な医療器具を準備する段階と、
ｂ）前記マンドレルの前記先端部を管腔内に挿入し、前記ストッパが前記先端側スライダに係合してこれに対して先端寄り偏倚力を作用するように前記マンドレルを先端方向に付勢することによって、前記管腔に沿って処置位置まで前記作動部材を先端方向に付勢し、先端寄り偏倚力が前記作動部材の復元力に抗して作用して前記作動部材を軸線方向に伸長すると共に前記作動部材と管の壁の間の摩擦を低減する段階とを有する、管の管腔内で医療器具を使用する方法。
【請求項１９】
前記基端側スライダと前記先端側スライダとは前記マンドレルに沿って互いに独立して摺動する請求項１８に記載の方法。
【請求項２０】
前記作動部材が処置位置に達した時に前記マンドレルを先端方向に付勢するのを止めることにより、前記作動部材が弾性的に自力で半径方向に膨張しかつ軸線方向に自力で縮むようにしている段階をさらに有する請求項１８に記載の方法。
【請求項２１】
前記ストッパが前記基端側スライダに係合してこれに対して基端寄り偏倚力を作用するように前記マンドレルを基端方向に引き戻すことによって前記管腔に沿って基端方向に前記作動部材を動かす段階をさらに有し、前記基端寄り偏倚力は前記フィルタの復元力に抗して作用して前記フィルタを軸線方向に伸長しかつ前記作動部材と前記管の壁との間の摩擦を低減する段階をさらに有する請求項１８又は２０に記載の方法。
【手続補正２】
【補正対象書類名】明細書
【補正対象項目名】０００４
【補正方法】変更
【補正の内容】
【０００４】
特定の処置の間のみに使用され、捕捉された血栓と共にその後に引き出すことを意図している殆どの一時的フィルタのついての問題がさらに説明される。仮にトラップが除去された物体を効果的に捕捉できても、捕捉された血栓を血流の中に簡単には放出することなく移動されるカテーテルの中にそのトラップを引っ込めるのは比較的困難又は複雑であることが実証されており、一時的なフィルタ具の目的を台無しにしている。このため、殆どのアテローム切除装置等は、血流に伴流される除去物体を取り除く処置の間に患者の血を吸い出す傾向がある。